(57)【要約】【課題】肌に余計な負担をかけずに肌表面を上下、左右、斜め自在にきめ細かくマッサージできるようにすることで、毛細管を押圧刺激し、血流を促しすことによって、若々しく、みずみずしい肌を実現するハンディータイプのマッサージ器を実現しようとするものである。【解決手段】複数の球体１０１を柱体１０２の側面周囲に表面の一部を露出して配置し、それぞれの球体１０１が上下、左右、斜め方向に自在に回転できる様にしたものであり、柱体１０２として円柱を採用するのがより適当な手段となる。【選択図】図１
0003136068.tif 000002
【実用新案登録請求の範囲】
【請求項１】
美容もしくは美顔用のローラ装置であって、複数の球体が柱体の側面周囲に一部表面を露出して配置され、それぞれの前記球体が上下、左右、斜め方向に自在に回転できる様に構成したことを特徴とするローラ装置
【請求項２】
前記柱体の側壁に一部側部を切り欠いた長穴が設けられ、前記球体が前記長穴に複数個、列をなして配置されていることを特徴とする請求項１記載のローラ装置
【請求項３】
前記柱体は、少なくとも前記球体が設置されている部分が円柱形状であることを特徴とする請求項１もしくは請求項２のいずれかに記載のローラ装置
【請求項４】
美容もしくは美顔用のローラ装置であって、複数の球体が柱体の側面周囲に一部表面を露出して配置され、それぞれの前記球体が上下、左右、斜め方向に自在に回転でき、前記柱体の中心に位置する中心柱と前記中心柱に垂直に構成された複数の平面間で前記球体が保持されたことを特徴とするローラ装置
【考案の詳細な説明】
【技術分野】
【０００１】
本考案は、美容もしくは美顔用に供する物であり、顔、腕等の肌表面をローラによりマッサージを行うことによって、血流を促し、しわを伸ばすことで、みずみずしく美しい肌を実現することを目的としたローラ装置に関するものである。
【背景技術】
【０００２】
従来、美容もしくは美顔用として、顔や腕、手などの表面を回転するローラによって毛細管を押圧刺激し、血流を促しすことによって、若々しく、みずみずしい肌を実現するハンディータイプのマッサージ器が提案されてきている。
【０００３】
例えば、特許文献１は  一本の金属線材を用い、貫通穴を有する金属球二個を連通させ、自由に回転及び左右に各自が揺動できる構造を有したボールローラーマッサージャーであり、金属球が揺動することで顎や頬や眉など顔の複雑な形状にも対応できるとともに、腕や手のひら及び指などのマッサージも可能であると述べている。また特許文献２では、回転子として少なくとも４本の球を一列に回転自在に軸支したものを１単位列とし、少なくとも４単位列を並設させ、球を一面状に行列に配設させた構成を有する美容用マッサージ器であり、個々の球における接触面積が広いので、刺激が局部的にならず、比較的広い範囲で良好な刺激を得ることができる効果を唱っている。
【０００４】
しかしながら、これらのマッサージ器は、肌に接する個々の球が、中心を通る軸によって規制されているために、一方向にしか動かず、肌表面で自由自在に、例えば連続した円弧を描いて転がす等の動作が困難である。また、使用を重ねるうちに、次第に個々の球の軸穴に油脂分やあか等がこびりつき、その上、軸穴が小さいため、洗ってもこれらの汚れが取れにくいことから、細菌が繁殖し易く、不清潔になりやすいという問題がある。
【０００５】
特許文献３は、美容ローラ装置であり、回転軸支持手段を介して取り付けられた把手部材に吸着性炭化物を所要の厚みをもって設けたローラ部の回転と、吸着性炭化物の作用によって体表面の余分な油分や老化した細胞などを簡単に除去することのできるという効果を述べている。
【０００６】
しかしながら、この様な美容ローラ装置は、吸着性炭化物を用いている構成はともかく、ローラ部が円柱形状となっているため、顔面をロールする際に、鼻等の凹凸部でローラ部が浮き上がり、マッサージ効果が損なわれると共に、ローラが一方向にしか転動しないため、きめ細かく肌をマッサージすることが困難である。
【０００７】
特許文献４は、棒状の先端に球体回転磁石を取り付けたマッサージ美容器であり、球体磁石にエステオイルを使用する事によってスムーズに回転しながらエステオイルが染み出てマッサージとエステ美容の効果があることを唱っている。
【０００８】
これは、棒状の先端に球体磁石を取付たボールペンを大きくした様な構成であり、糊の塗布用等に既に同様の構造が用いられている。この様な構造のものは、ボールが単一であり、しかも、ボールと把手が垂直であることから、把手を支える荷重がそのまま肌と接するボールに付加されるため、単位面積あたりの肌に強い荷重がかかり、肌が大きく凹むため、肌への負担が大きく、肌荒れ等の悪影響が生じる可能性がある。
【特許文献１】実願２００６−９６６２
【特許文献２】実願平５−８９８０
【特許文献３】特願平８−２１６６５８
【特許文献４】実願２００７−１５５７
【考案の開示】
【考案が解決しようとする課題】
【０００９】
本考案は、上記の様な従来の問題点に鑑み、複数の球体を自在に転動するように配置し、肌に荷重的な負担をかけずに肌表面を上下、左右、斜め自在にマッサージできるようにすることで、毛細管を押圧刺激し、血流を促しすことによって、若々しく、みずみずしい肌を実現するハンディータイプのマッサージ器を実現しようとするものである。
【課題を解決するための手段】
【００１０】
本考案は、上記のような従来の課題を解決するために、複数の球体を柱体の側面周囲に表面の一部を露出して配置し、それぞれの球体が上下、左右、斜め方向に自在に回転できる様にしたものであり、柱体として円柱を採用するのがより適当な手段となる。
【００１１】
また、その構成に関し、特に柱体の周囲側壁に一部側部を切り欠いた複数の長穴を設け、複数の球体をそれぞれの長穴内に挿入した構成を手段としている。また、ある場合には、複数の球体が柱体の中心に位置する柱とその柱に垂直に配置した複数の平面間で前記球体が保持される構造も手段としているのである。
【考案の効果】
【００１２】
本考案のローラ装置は、複数の球体を柱体の側面周囲に表面の一部を露出して配置し、それぞれの球体が上下、左右、斜め方向に自在に回転できる様にしたものであるために、肌に荷重的な負担をかけずに肌表面を上下、左右、斜めに自在にマッサージできるので、各部の毛細管を最良の動きによって押圧刺激することができる。このことによって、肌への血流を促し、若々しく、みずみずしい肌を実現することができるという効果が生じる。
【００１３】
また、球体には特許文献１や特許文献２の様に、球体に軸穴を開けた構造ではないため、球の軸穴に油脂分やあか等がこびりつくことがなく、細菌が繁殖し難い構造となっている。また、軸穴がないため洗浄が用意であり、本考案のローラ装置を清潔に保つことができる。
【００１４】
そしてまた、本考案のローラ装置は複数の球体と把手が平行に配置されているため、把手を支える荷重がそのまま球体から肌へ伝わらず、過剰な力で肌が大きく凹むことがないため、肌への負担が小さく、より優しく心地よい状態で肌を活性化することができる。
【考案を実施するための最良の形態】
【００１５】
本考案は、複数の球体を柱体の側面周囲に表面の一部を露出して配置し、それぞれの球体が上下、左右、斜め方向に自在に回転できる様にしたローラ装置であるために、美容用、美顔用として、肌への負担が少く、肌表面を自在にマッサージできる。それ故、本考案のローラ装置によって、肌への血流を促し、若々しく、みずみずしい肌を実現することができるものである。以下に、より具体的な構成を上げて、実施例にて考案を開示する。
【実施例１】
【００１６】
図１は、本考案装置における実施例１のローラ装置であり、（ａ）は側面図、（ｂ）はAAの断面図である。図１において、ステンレス製の軸１０３には、円柱状のボールホルダー１０２が取り付けられている。ボールホルダー１０２には、その側面に縦穴が４本開削されている。この縦穴の軸中心は、ボールホルダー１０２の外周より少し内側にあり、穴の一部はボールホルダー１０２を切り欠いた様に途切れており、各穴に複数個並んでゲルマニウム製のボール１０１が挿入されている。それ故、ボール１０１は、その一部表面が露出している。ボール１０１は、外部に表面の一部が露出しているため、その露出部が皮膚等に触れた状態でボールホルダー１０２が移動すると、移動に伴ってボール１０１が回転する。本実施例では一列に並んだボール１０１は互いに接しているため、どれかのボール１０１が回転すると他のボール１０１の幾つかが連動して回転する。しかし、このボール１０１はヘッダー１０５によって、外部に抜け出さないように規制されている。
【００１７】
また、軸１０３は手で持ちやすいように樹脂製のグリップ１０４が取り付けられ、このグリップ１０４を顔や手の表面に平行に動かすことによって、ボールホルダー１０２自身も、回転軸１０６の周囲を回転し、同時にそれぞれのボール１０１が自在に回転するため、肌がきめ細かく刺激され、血液の循環が促進される。それ故、本ローラ装置の使用によって、肌が生き生きし、潤いのあるみずみずしい肌となるのである。
【００１８】
本実施例では縦穴数は４本であるが、ボール１０１を小さくすることで、もっと穴数やボール数を増やすことが可能である。また、本実施例ではボール１０１はゲルマニウムを用いたが、水晶、トルマリンなどを用いることで、肌をより活性化するのみならず、美的な装飾品としての価値も持たせることができる。また、軸１０３、ボールホルダー１０２、グリップ１０４の材料は自由に選択することが可能であるが、軸１０３やボールホルダー１０２としてチタンを材料として用いることで、より軽くて持ちやすく、肌に優しいローラ装置となる。
【実施例２】
【００１９】
図２は、本考案装置における実施例２のローラ装置であり、（ａ）は側面図、（ｂ）はＢＢの断面図である。図２において、白金メッキされたマグネシウム合金の軸２０２には、ホルダー軸２０６が一体化成形されている。ホルダー軸２０６には円盤の周囲につばが形成されたホルダー板２０１が取り付けられている。本実施例では、このホルダー板２０１の間にはボール２０５が各段毎に５個配置されている。本実施例では段数を３段とし、計１５個のボール２０５を配置しているが、段数や配置個数は変更してもその効果に変わりはない。軸２０２にはグリップ２０３が設けられ、手で持ちやすい構造となっている。またホルダー軸２０６には、ヘッダー２０４が固定され、ホルダー板２０１やボール２０５が抜け落ちないように規制している。
【００２０】
本実施例による効果も、実施例１とほぼ同じであるが、ボール２０５が円周上に配置されているため、軸２０２と平行方向の動きがより容易であり、ホルダー板２０１を固定せずに組み立てることで、より低コストで製作できる。
【実施例３】
【００２１】
図３は、本考案装置における実施例３のローラ装置であり、（ａ）は側面図、（ｂ）はＣＣの断面図である。図３において、樹脂製の軸３０３には、ボールホルダー３０４が固定されており、その中心にはホルダー軸３０５が軸３０３と一体化されて形成されている。この軸３０３を囲ってボール３０２が配置され、このボールはボールホルダー３０４からその一部が露出している。ボール３０２はホルダー軸３０５とボールホルダー３０４によって押さえつけられており、自由に回転は可能であるが、位置が変わることはない。ボールホルダー３０４は金メッキされており、肌に接してもアレルギー等が生じることはない。
【００２２】
ヘッダー３０１はボールホルダー３０４を押さえ込む役割を担っており、この形状は自由に変形が可能である。本実施例では、美顔器もしくは美容器として、アクセサリー的な外観を重視し、ピラミッド形状の翡翠を用いたヘッダー３０１を用い、ボール材質も翡翠を用いている。翡翠は古来中国において薬として使用された経過があり、肌に対して有効な作用が期待できる。
【００２３】
本実施例による効果も、実施例１や実施例２とほぼ同じであるが、ボール３０２がボールホルダー３０４の内部に封じ込められた構成になるため、他の実施例に比べてやや内部の洗浄が困難になるという問題がある。そのため本実施例では、先端のヘッダー３０１が取り外し可能になっており、ヘッダー３０１を適宜取り外し、内部を洗浄できるように構成している。
【産業上の利用可能性】
【００２４】
美容もしくは美顔用として、顔や腕、手などの表面を回転するローラによって毛細管を押圧刺激し、血流を促しすことによって、若々しく、みずみずしい肌を実現するハンディータイプのマッサージ器として利用することができる。
【図面の簡単な説明】
【００２５】
【図１】本考案によるローラ装置であり、（ａ）は側面図、（ｂ）はＡＡ断面図である。（実施例１）
【図２】本考案によるローラ装置であり、（ａ）は側面図、（ｂ）はＢＢ断面図である。（実施例２）
【図３】本考案によるローラ装置であり、（ａ）は側面図、（ｂ）はＣＣ断面図である。（実施例３）
【符号の説明】
【００２６】
１０１    ボール
１０２    ボールホルダー
１０４    グリップ
１０３    軸
１０５    ヘッダー
１０６    回転軸
【図１】
0003136068.tif 000003
【図２】
0003136068.tif 000004
【図３】
0003136068.tif 000005